(57)【要約】【課題】簡単な構成で灯具を地面に対して水平状態を保ちながら円滑に昇降でき、灯具のメンテナンス作業を容易かつ安全に行うことが可能なポール型照明器具を提供する。【解決手段】略直立して設置される中空のポール１を有し、このポール１には、上部に複数の定滑車２ａ，２ｂが、下部にはウインチ３が設けられる。また、灯具１３がポール１に沿って昇降自在に設けられ、この灯具１３はポール１からの突出方向に沿って複数の吊下げワイヤ４ａ，４ｂの一端側が順次接続され、その他端側は各定滑車２ａ，２ｂに個別に掛け回されて一つのワイヤジョイント５に共通に接続される。ワイヤジョイント５には一本の巻取りワイヤ６の一端側が接続され、その他端側はウインチ３のドラムに巻回されている。【選択図】図１
2010129208.tif 000002
【特許請求の範囲】
【請求項１】
略直立して設置される中空のポールを有し、このポールには、その上部に複数の定滑車が取り付けられ、下部にはウインチが設けられる一方、灯具が前記ポールに沿って昇降自在に設けられ、この灯具には前記ポールからの突出方向に沿って複数の吊下げワイヤの一端側が順次接続され、各吊下げワイヤの他端側は前記各定滑車に個別に掛け回されて一つのワイヤジョイントに共通に接続され、このワイヤジョイントには一本の巻取りワイヤの一端側が接続され、当該巻取りワイヤの他端側は前記ウインチのドラムに巻回されていることを特徴とするポール型照明器具。
【発明の詳細な説明】
【技術分野】
【０００１】
本発明は、高位置から地上に向けて照明するためのポール型照明器具に関するものである。
【背景技術】
【０００２】
従来より、街路照明、公園照明、道路照明等を行うためにポール型照明器具が使用されている。このポール型照明器具は、高位置から地上を照明することを目的とするため、略直立して設置されるポールは比較的長尺のものが使用され、通常はこのポールの上部に照明ランプを備えた灯具が設けられる。
【０００３】
このようなポール型照明器具において、照明ランプには自ずと寿命があるので、照明ランプを交換する必要が生じる。また、灯具の電気配線が故障するなどにより部品を交換する必要が生じる。このようなメンテナンスが必要となった場合、灯具がポールの上部にそのまま取り付けられていると、人が梯子や脚立を用いたり、高所作業車を用いたりして保守点検を行わねばならず、メンテナンス作業が繁雑で手間取るだけでなく、危険を伴うことにもなる。
【０００４】
この不具合を解消するため、例えば、下記の引用文献１に記載されているような従来技術を流用し、中空のポールの上端部に定滑車を取り付け、下部にはウインチを設ける一方、灯具にワイヤの一端を接続し、当該ワイヤの他端を定滑車に掛け回してからウインチのドラムに巻回した構成とし、ウインチのドラムに巻き取られているワイヤを巻き解くのに伴って灯具を地上近くまで下降させ、これによってランプ交換を容易に行えるようにすることが考えられる。
【特許文献１】実用新案登録第２５２９９９０号公報
【発明の開示】
【発明が解決しようとする課題】
【０００５】
上記の引用文献１記載の従来技術は、旗の昇降装置であって一本のワイヤのみで旗を昇降させる構成である。このような旗の昇降装置では、昇降時に旗が垂れ下がった状態になっても何ら問題はない。
【０００６】
しかし、引用文献１記載の従来技術をそのまま灯具の昇降に流用し、灯具を一本のワイヤのみで昇降させるようにすると、灯具が地面に対して上下に揺れながら昇降するなどして、地面に対して水平状態を保ちながら円滑に昇降することが難しくなる。
【０００７】
その対策としては、灯具のポールからの突出方向に沿って複数のワイヤを接続して吊り下げ支持するようにすれば、灯具を地面に対して水平状態を保ちながら円滑に昇降させることが可能である。しかし、ワイヤを巻き取ったり巻き解くために、各ワイヤの本数ごとに個別にウインチを設けた場合には、余分なコストアップになるだけでなく、昇降機構が複雑化するために得策でない。
【０００８】
本発明は、上記の課題を解決するためになされたもので、余分なコストアップを招来することなく、かつ簡単な構成でもって灯具を地面に対して水平状態を保ちながら円滑に昇降させることができ、灯具のメンテナンス作業を容易、かつ安全に行うことが可能なポール型照明器具を提供することを目的とする。
【課題を解決するための手段】
【０００９】
上記の目的を達成するために、本発明のポール型照明器具は、略直立して設置される中空のポールを有し、このポールには、その上部に複数の定滑車が取り付けられ、下部にはウインチが設けられる一方、灯具が前記ポールに沿って昇降自在に設けられ、この灯具には前記ポールからの突出方向に沿って複数の吊下げワイヤの一端側が順次接続され、各吊下げワイヤの他端側は前記各定滑車に個別に掛け回されて一つのワイヤジョイントに共通に接続され、このワイヤジョイントには一本の巻取りワイヤの一端側が接続され、当該巻取りワイヤの他端側は前記ウインチのドラムに巻回されていることを特徴としている。
【発明の効果】
【００１０】
本発明によれば、灯具がその突出方向に沿って複数本の吊下げワイヤによって吊り下げられるので、灯具は地面に対して水平状態を保ちながら円滑に昇降する。このため、灯具のメンテナンス作業を容易、かつ安全に行うことができる。しかも、灯具を吊り下げている複数本の吊下げワイヤに対して個別にウインチを設ける必要がなく、各吊下げワイヤはワイヤジョイントを介して一本の巻取りワイヤに収束されてからウインチに巻回されているので、一つのウインチでワイヤの巻き取り巻き解き操作を行える。このため、簡単な構成で、かつ余分なコストアップを招来することなく灯具を昇降させることができる。
【発明を実施するための最良の形態】
【００１１】
以下、本発明の実施の形態について、図面を参照して詳しく説明する。図１は本発明の実施の形態におけるポール型照明器具の全体を示す一部切欠正面図、図２は同ポール型照明器具の一部を拡大して示す平面図、図３は図２に対する正面断面図である。また、図４はポールに設けられたウインチ部分を拡大して示す正面図、図５は図４に対する側面図である。
【００１２】
この実施の形態のポール型照明器具は、地上から略直立して設置される中空長尺のポール１を有する。そして、このポール１内には、その上部に複数（本例では２つ）の定滑車が取り付けられ、また、下部にはウインチ３が設けられ、定滑車２ａ，２ｂとウインチ３との間には、複数本（本例では２本）の吊下げワイヤ４ａ，４ｂ、ワイヤジョイント５、および１本の巻取りワイヤ６が設けられている。なお、９はポール１内に設けられた引掛金具である。
【００１３】
また、ポール１の上部の外側の定滑車２ａ，２ｂ近傍にはポール１に略直交して地面に対して略水平に突出するようにアーム１１が固定され、このアーム１１には、吊下げワイヤ４ａ，４ｂが掛け回される２つのガイドローラ１４ａ，１４ｂがポール１からの突出方向に沿って順次設けられている。また、アーム１１には照明ランプ（図示せず）を備えた灯具１３がポール１に沿って昇降自在に設けられている。この場合の照明ランプとしては、例えば高輝度ランプ、蛍光灯、白熱灯などを適用することができ、特に限定されるものではない。なお、１５は旗などを取り付ける取付金具、１７は灯具１３が上限位置に上昇された際にアーム１１に対して位置決めするための位置決め部材である。
【００１４】
そして、各吊下げワイヤ４ａ，４ｂの一端側は、アーム１１の２つのガイドローラ１４ａ，１４ｂにそれぞれ個別に掛け回された後に灯具１３に固定されている。一方、各吊下げワイヤ４ａ，４ｂの他端側は、ポール１の上部の各定滑車２ａ，２ｂに個別に掛け回された後、ポール１内において下方に延長されて一つのワイヤジョイント５に共通に接続されている。
【００１５】
また、このワイヤジョイント５には一本の巻取りワイヤ６の一端側が接続され、当該巻取りワイヤ６の他端側はウインチ３のドラム３ａに巻回されている。また、ポール１のウインチ３の設置箇所に対向する部分には開口部１ａが設けられ、この開口部１ａにウインチ３のドラム３ａを回転させるためのハンドル操作軸３ｂが臨んでいる。
【００１６】
また、図示していないが、ポール１内の下方から電源用の配線ケーブルが挿通されて定滑車２ａ，２ｂ近傍からポール１外部に引き出されアーム１１を経由して灯具１３に電気的に接続されている。
【００１７】
上記構成において、ウインチ３のハンドル操作軸３ｂに図示しないハンドルを差し込んでドラム３ａを回して巻取りワイヤ６を繰り出すと、これに伴って灯具１３がポール１に沿って降下する。その際、灯具１３は、その突出方向に沿って２本の吊下げワイヤ４ａ，４ｂで吊り下げられているので、地面に対して水平状態を保ちながら円滑に下降する。そして、灯具１３が地上近くまで下降すれば、ウインチ３による巻取りワイヤ６の繰り出しを止めることで、灯具１３のランプ交換等のメンテナンス作業を容易、かつ安全に行うことができる。
【００１８】
一方、ウインチ３のドラム３ａを回して巻取りワイヤ６を巻き取ると、これに伴って灯具１３がポール１に沿って上昇する。その際にも、灯具１３は２本の吊下げワイヤ４ａ，４ｂで吊り下げられているので、地面に対して水平状態を保ちながら円滑に上昇する。灯具１３が所定の上限位置に到達すればウインチ３による巻取りワイヤ６の繰り出しを止める。
【００１９】
そして、灯具１３が上限位置に到達した後は、ワイヤジョイント５とポール１に設けられた引掛金具９との間を、例えばターンバックル１６で連結固定する。これにより、巻取りワイヤ６に余分な負荷が加わらず、また、ウインチ３のドラム３ａが不意に回されて灯具１３が下降するなどの不具合発生を防ぐことができる。
【００２０】
このように、この実施の形態では、灯具１３がその突出方向に沿って複数本の吊下げワイヤ４ａ，４ｂによって吊り下げられているので、地面に対して水平状態を保ちながら円滑に昇降する。このため、灯具１３のメンテナンス作業を容易、かつ安全に行うことができる。
【００２１】
しかも、灯具１３を吊り下げている複数本の吊下げワイヤ４ａ，４ｂに対しては、個別にウインチ３を設ける必要がなく、各吊下げワイヤ４ａ，４ｂはワイヤジョイント５を介して一本の巻取りワイヤ６に収束されてからウインチ３に巻回されているので、一つのウインチ３でワイヤの巻き取り、巻き解き操作を行える。このため、簡単な構成で、かつ余分なコストアップを招来することなく灯具１３を昇降させることができる。
【図面の簡単な説明】
【００２２】
【図１】本発明の実施の形態におけるポール型照明器具の全体を示す一部切欠正面図である。
【図２】同ポール型照明器具の一部を拡大して示す平面図である。
【図３】図２に対する正面断面図である。
【図４】ポールに設けられたウインチ部分を拡大して示す正面図である。
【図５】図４に対する側面図である。
【符号の説明】
【００２３】
１    ポール
２ａ，２ｂ    定滑車
３    ウインチ
４ａ，４ｂ    吊下げワイヤ
５    ワイヤジョイント
６    巻取りワイヤ
１３    灯具
【図１】
2010129208.tif 000003
【図２】
2010129208.tif 000004
【図３】
2010129208.tif 000005
【図４】
2010129208.tif 000006
【図５】
2010129208.tif 000007